(57)【要約】【課題】複数の基地局から送信されるデータを受信し、正しく受信できた基地局のデータを選択して組み合わせる選択合成について、受信対象基地局を切り替える際にデータの欠落を発生させずにデータを受信することができるセルサーチ処理装置、セルサーチ処理装置を搭載した移動局及びセルサーチ処理方法を提供する。【解決手段】各基地局の同期用無線チャンネルの受信電界強度等の回線品質を測定するＣＰＩＣＨレベル測定部１０３と、各基地局のデータ送信タイミングを記憶する送信タイミング記憶部１０５と、セル選択部１０４とを備え、受信対象基地局の切り替えをする際、ＣＰＩＣＨレベルの測定結果と各基地局ごとのデータを送信する送信タイミング差に基づいて、切り替え元基地局よりタイミングが遅い時刻で同じデータを送信している基地局を切り替え先基地局として選択する。【選択図】図１
2006173701.tif 000002
【特許請求の範囲】
【請求項１】
複数の基地局の同期用無線チャネルの回線品質を測定する回線品質測定手段と、前記複数の各基地局から同じデータが送信されるタイミング差を記憶する送信タイミング記憶手段を備え、受信対象基地局の切り替えをする際、前記タイミング差に基づいて切り替え先基地局を選択するセル選択手段を有することを特徴とするセルサーチ処理装置。
【請求項２】
前記セル選択手段は切り替え元基地局より遅い時刻で同じデータが送信されている基地局を切り替え先基地局として選択することを特徴とする請求項１に記載のセルサーチ処理装置。
【請求項３】
前記セル選択手段は前記回線品質が予め定めた閾値以上である基地局を選択することを特徴とする請求項１または請求項２のいずれかに記載のセルサーチ処理装置。
【請求項４】
前記セル選択手段は切り替え元基地局より遅い時刻で同じデータが送信されている基地局の中で、早い時刻で同じデータが送信されている基地局を切り替え先基地局として選択することを特徴とする請求項１から請求項３のいずれかに記載のセルサーチ処理装置。
【請求項５】
前記セル選択手段は復号判定結果を用いて切り替え先基地局を選択することを特徴とする請求項１から請求項４のいずれかに記載のセルサーチ処理装置。
【請求項６】
前記セル選択手段は復号判定結果を用いて切り替えを行うタイミングを変更することを特徴とする請求項１から請求項５のいずれかに記載のセルサーチ処理装置。
【請求項７】
前記セル選択手段は復号判定結果を用いて切り替え先基地局の受信を一時停止することを特徴とする請求項１から請求項６のいずれかに記載のセルサーチ処理装置。
【請求項８】
前記復号判定結果は切り替え元基地局の復号判定結果を用いることを特徴とする請求項５から請求項７のいずれかに記載のセルサーチ処理装置。
【請求項９】
前記復号判定結果は切り替えを行わない基地局の復号判定結果を用いることを特徴とする請求項５から請求項７のいずれかに記載のセルサーチ処理装置。
【請求項１０】
前記請求項１から請求項９のいずれかに記載のセルサーチ処理装置を搭載した移動局。
【請求項１１】
複数の基地局の同期用無線チャネルの回線品質を測定する回線品質測定ステップと、前期複数の各基地局から同じデータが送信されるタイミング差を記憶する送信タイミング記憶ステップを備え、前記回線品質測定ステップにより測定を行い、回線品質測定結果に基づき受信対象基地局の切り替えをする際、前記タイミング差記憶ステップで記憶されたタイミング差を用いて切り替え先基地局を選択するセル選択ステップを実行することを特徴とするセルサーチ処理方法。
【請求項１２】
前記セル選択ステップは、切り替え元基地局より遅い時刻で同じデータが送信されている基地局を切り替え先基地局として選択することを特徴とする請求項１１に記載のセルサーチ処理方法。
【請求項１３】
前記セル選択ステップは前記回線品質が予め定めた閾値以上である基地局を選択することを特徴とする請求項１１または請求項１２のいずれかに記載のセルサーチ処理方法。
【請求項１４】
前記セル選択ステップは切り替え元基地局より遅い時刻で同じデータが送信されている基
地局の中で、早い時刻で同じデータが送信されている基地局を切り替え先基地局として選択することを特徴とする請求項１１から請求項１３のいずれかに記載のセルサーチ処理方法。
【請求項１５】
前記セル選択ステップは復号判定結果を用いて切り替え先基地局を選択することを特徴とする請求項１１から請求項１４のいずれかに記載のセルサーチ処理方法。
【請求項１６】
前記セル選択ステップは復号判定結果を用いて切り替えを行うタイミングを変更することを特徴とする請求項１１から請求項１５のいずれかに記載のセルサーチ処理方法。
【請求項１７】
前記セル選択ステップは復号判定結果を用いて切り替え先基地局の受信を一時停止することを特徴とする請求項１１から請求項１６のいずれかに記載のセルサーチ処理方法。
【請求項１８】
前記復号判定結果は切り替え元基地局の復号判定結果を用いることを特徴とする請求項１５から請求項１７のいずれかに記載のセルサーチ処理方法。
【請求項１９】
前記復号判定結果は切り替えを行わない基地局の復号判定結果を用いることを特徴とする請求項１５から請求項１７のいずれかに記載のセルサーチ処理方法。
【発明の詳細な説明】
【技術分野】
【０００１】
本発明は移動通信システムにおける移動局に搭載するセルサーチ処理装置及びセルサーチ処理方法に関し、特にＣＤＭＡ通信等に用いて好適なセルサーチ処理装置及びセルサーチ処理方法に関するものである。
【背景技術】
【０００２】
従来の携帯電話装置等の移動通信システムでは、無線エリアを「セル」と呼ばれる複数の無線エリアに分割し、各セル毎に基地局を配備して当該セル内に移動してきた移動局との通信を行う。移動局は通信を行った基地局の中で最も回線品質の良い基地局と通信を行う構成を取っている。各基地局は、移動局の同期用無線チャネルの信号を常に固定送信電力で送信している。その送信された電波は、減衰しながら空間を伝播し、その伝播距離が遠くなればなるほどその減衰量が増える性質を持っている。従って、移動局がこの送信された電波を受信すると、近い基地局からの同期用無線チャネルの回線品質が良好となり、遠い基地局からの同期用無線チャネルの回線品質が悪い結果となる。
【０００３】
待ち受け中の移動局は、この同期用無線チャネルの回線品質を測定し監視することにより、通信に最適な基地局の同期用無線チャネルを見つけ出し、その後、通信に最適な基地局で待ち受け動作に入ることで発呼、着信に備える。この同期用無線チャネルを見つけ出し、見つけ出した同期用無線チャネルの回線品質を測定することを「セルサーチ」と言う。移動局が移動すると、各基地局から到来する同期用無線チャネルの状況は変化する。従って、移動局は常にこのセルサーチを行い、通信に最適な基地局を選び出して最適な基地局で待ち受け動作に入ることが、発呼率、着信率を維持する為に重要である。
【０００４】
また、受信性能を向上させるため、複数の基地局から同じ情報をのせたデータを送信し、移動局において、基地局ごとに独立にデータを復号して、正しく誤り訂正処理された基地局からのデータを選択して組み合わせて、最終的な復号データとする選択合成を行う場合がある。但し、この複数の基地局からの同じ情報をのせたデータの送信タイミングは、複数の基地局間で送信するタイミングを同期させていない。 
【０００５】
従来のセルサーチ処理装置及びセルサーチ処理方法は、現在受信している各基地局の同期用無線チャネルの受信電界強度等の回線品質を測定し、回線品質が劣化している基地局があれば、回線品質のよい基地局に切り替えを行う。この際、切り替え先基地局の候補となる現在受信していない基地局に関して、同期用無線チャネルの受信電界強度等の回線品質を測定し、回線品質の最も良い基地局に切り替えを行っている（例えば特許文献１参照）。切り替え後、選択した基地局について、パス選択、逆拡散、レイク合成、誤り訂正処理を行う。
【０００６】
また、複数基地局からの特定データ受信に選択合成を用いる際のセルサーチ処理装置及びセルサーチ処理方法も同様な方法を用いている。
【特許文献１】特開２００１−７８２４５号公報（第４ページ）
【発明の開示】
【発明が解決しようとする課題】
【０００７】
しかしながら、従来のセルサーチ処理装置及びセルサーチ処理方法においては、選択合成を行う際に基地局の切り替えが発生すると、切り替え元基地局と切り替え先基地局の同じデータを送信するタイミングを同期させていないため、選択合成が正常に行われない場
合が発生する。
【０００８】
図１４に従来のセルサーチ処理装置及びセルサーチ処理方法の動作を説明するタイミング図を示し、具体的に説明をする。図１４は左から右に時間軸を取り、基地局Ａと基地局Ｂからそれぞれ送信されるデータ内容を示している。基地局Ａと基地局Ｂからは同じデータが送信されており、基地局Ａは基地局Ｂよりタイミング差４０１をつけて送信されている。時刻Ｔ＋２から移動局は基地局Ａのデータを受信している。ここで、時刻Ｔ＋４にて基地局Ａから基地局Ｂへ受信基地局の切り替えを行う場合を説明する。時刻Ｔ＋４に基地局Ａから基地局Ｂへ受信基地局の切り替えを行うと、Ｄａｔａ＃０、Ｄａｔａ＃１については基地局Ａから受信することができ、Ｄａｔａ＃４以降については基地局Ｂから受信することができる。しかし、基地局Ａと基地局Ｂの同期が取れていないので、時刻Ｔ＋４で基地局Ａから基地局Ｂへ切り替えた時には既に基地局ＢではＤａｔａ＃４の送信を開始しており、Ｄａｔａ＃２、Ｄａｔａ＃３については受信することができず、受信データの欠落が発生する。
【０００９】
本発明は、従来の問題を解決するためになされたもので、複数の基地局から同じデータが同期を取らずに送信されるときに選択合成を行う場合、受信対象基地局を切り替える際にデータの欠落を発生させずにデータを受信することができるセルサーチ処理装置、セルサーチ処理装置を搭載した移動局及びセルサーチ処理方法を提供することを目的とする。
【課題を解決するための手段】
【００１０】
前記従来の課題を解決するために、本発明のセルサーチ処理装置は、複数の基地局の同期用無線チャネルの受信電界強度等の回線品質を測定する回線品質測定手段と、複数の基地局からの同じデータが送信されるタイミング差を記憶する送信タイミング記憶手段を備え、受信対象基地局の切り替えをする際、各基地局からのデータを送信するタイミング差に基づいて切り替え先基地局を選択するセル選択手段を設けている。特に、本発明のセルサーチ処理装置のセル選択手段は、切り替え元基地局よりタイミングが遅い時刻で同じデータを送信している基地局を切り替え先基地局として選択を行う。そして、本発明のセルサーチ処理装置のセル選択手段は、回線品質が予め定められた閾値以上である基地局を選択する構成を有している。
【００１１】
本構成によって、基地局間で同じデータが同期を取らずに送信されるときに選択合成を行う場合、受信対象基地局を切り替える際にデータの欠落を発生させずにデータを受信することができる。
【００１２】
また、本発明のセルサーチ処理装置のセル選択手段は、切り替え元基地局よりタイミングが遅い時刻で同じデータが送信されている複数の基地局の中で、最も早い時刻で同じデータが送信されている基地局を、すなわち、同期のずれがもっとも少ない基地局を切り替え先基地局として選択するよう構成している。本構成によって、データの欠落を発生させずに基地局を切り替えることができるとともに、切り替えを行った後にも、タイミングが遅い時刻で同じデータが送信されている他の基地局を次の切り替え候補として残すことができる。
【００１３】
さらに、本発明のセルサーチ処理装置のセル選択手段は、復号判定結果に基づいて切り替え先基地局を選択する構成にしている。ここで、復号判定結果とは受信データの、誤り検出のために巡回冗長検査（Ｃｙｃｌｉｃ  Ｒｅｄｕｎｄａｎｃｙ  Ｃｈｅｃｋ、以下ＣＲＣと略す）用のビットを付加して行うＣＲＣ判定結果や、誤り訂正のために符号化された誤り訂正符号の復号判定結果等のことである。復号判定結果がＯＫの場合はデータが正常に受信できたことになり、復号判定結果がＮＧの場合はデータが正常に受信できていないことになる。本構成によって、基地局の切り替えに際して正常に受信できているデータ
の判別を行うことができる。
【００１４】
さらに、本発明のセルサーチ処理装置のセル選択手段は、復号判定結果に基づいて切り替えを行うタイミングを変更する構成にしている。さらに、本発明のセルサーチ処理装置のセル選択手段が切り替え先基地局を選択する際に使用する復号判定結果は、切り替え元基地局の復号判定結果を用いる構成にしている。本構成によって、切り替えタイミングで切り替え先基地局から送信されるデータが切り替え元基地局で正常受信できていれば切り替えタイミングを遅らせることで、切り替え元基地局の受信を継続することができる。この切り替え元基地局で受信を継続した受信データは、切り替え先基地局は切り替え元基地局よりも時刻が遅れているので切り替え先基地局で再び受信することができ、同じデータを受信する回数が増加することで誤り率を向上させることができる。
【００１５】
さらに、本発明のセルサーチ処理装置のセル選択手段は、復号判定結果に基づいて切り替え先基地局の受信を一時停止する構成にしている。本構成によって、データの欠落を発生させずに基地局を切り替える際に、切り替え元基地局で正常に受信できているデータは切り替え先基地局で再度の受信が不要のため、切り替え先基地局のデータ受信を一時停止することができ、消費電力を低減することができる。
【００１６】
さらに、本発明のセルサーチ処理装置のセル選択手段が切り替え先基地局を選択する際に使用する復号判定結果は、受信中の複数の基地局の中で切り替え元基地局以外の切り替えを行わない基地局の復号判定結果を用いる構成にしている。本構成によって、データの欠落を発生させずに基地局を切り替えることができる。また、切り替え元基地局より同じデータを送信する時刻は早いが、切り替えを行わない基地局に対して同じデータを送信する時刻が遅れている基地局を切り替え先の基地局として選択することができる。よって、切り替え先基地局の候補の時刻の条件の判定を、切り替え元基地局だけに対して行うのではなく、受信中の切り替えを行わない基地局に対してまで広げて行うことで、切り替え先対象の候補となる基地局数を増加させることができる。
【発明の効果】
【００１７】
本発明によれば、複数の基地局から同じデータが同期を取らずに送信されるときに選択合成を行う場合の受信対象となる基地局を切り替える際に、各基地局のデータの送信タイミング差に基づいて受信対象基地局を選択することにより、受信対象基地局を切り替える際にデータの欠落を発生させずにデータを受信することができる。
【発明を実施するための最良の形態】
【００１８】
以下に本発明の実施の形態のセルサーチ処理装置、セルサーチ処理装置を搭載した移動局及びセルサーチ処理方法について図面を用いて説明する。
【００１９】
（実施の形態１）
図１に本発明の実施の形態１のセルサーチ処理装置を搭載した移動局２００のブロック図を示す。図１において、移動局２００は電波を受信するアンテナ１０１と、高周波処理を行う高周波受信処理部１０２と、受信対象基地局を選択するセルサーチ処理装置１００と、受信電力の大きなパスを選択するパスサーチ処理部１０６と、割り当てられたパスに対して逆拡散を行う逆拡散処理部１０７と、逆拡散処理部１０７のデータのレイク合成を行うレイク合成処理部１０８と、誤り訂正を行う誤り訂正処理部１０９と、復号したデータのＣＲＣ判定を行うＣＲＣ判定処理部１１０と、ＣＲＣ判定結果によって選択合成を行う選択合成処理部１１１を有する構成である。なお図１は、移動局の構成中、本発明に関する部分のみを示しており、例えば送信に関する手段等については省略している。
【００２０】
セルサーチ処理装置１００は各基地局の同期用無線チャネルの受信電界強度等の回線品
質を測定するＣＰＩＣＨ（Ｃｏｍｍｏｎ  Ｐｉｌｏｔ  Ｃｈａｎｎｅｌ）レベル測定部１０３と、ＣＰＩＣＨレベルの測定結果とタイミング差を用いて切り替え先基地局を選択するセル選択部１０４と、各基地局の同じデータが送信されるタイミング差を記憶する送信タイミング記憶部１０５を有する。各基地局の送信タイミング情報は、あらかじめ基地局から移動局に対して送信されており、移動局で受信、データ復調を行い、送信タイミング記憶部１０５に記憶しておく。
【００２１】
図２に本発明の実施の形態１におけるセルサーチ処理装置及びセルサーチ処理方法の動作を説明するシステム図を示す。図２において、複数の基地局からの特定データ受信に選択合成を用いる際には、基地局Ａ２０１と基地局Ｂ２０２から送信されるデータは、同じデータであるＤａｔａ＃０について、基地局Ａ２０１では早く基地局Ｂ２０２では遅くというようにデータタイミング差をつけられて送信されている。移動局２０３は、基地局ごとに独立にデータを復号して、正しく誤り訂正処理された基地局からのデータを最終的な復号データとして選択する。この時、セルサーチ処理装置１００のセル選択部１０４において、回線品質を示すＣＰＩＣＨレベルに基づいて受信を行う基地局を選択し、選択した基地局についてパスサーチを行い、割り当てられたパスに対して逆拡散を行う。その後、逆拡散処理部１０７のデータのレイク合成、誤り訂正を行い、ＣＲＣの判定を行う。ＣＲＣ判定結果がＯＫであれば、上位レイヤにデータ転送を行っている。
【００２２】
図３に本発明の実施の形態１におけるセルサーチ処理装置及びセルサーチ処理方法の動作を説明するフロー図を示す。図３において、受信対象基地局を切り替える際の動作を説明する。まず、セルサーチ処理装置１００のＣＰＩＣＨレベル測定部１０３において、同期用無線チャネルであるＣＰＩＣＨのレベル測定を対象となる現在受信中の基地局に対して行う（Ｓ３１）。測定を行った基地局のＣＰＩＣＨレベルが閾値以上であれば、その基地局のデータ受信を継続するが、ＣＰＩＣＨレベルが閾値以下であれば、切り替え先基地局の探索を行う（Ｓ３２）。送信タイミング記憶部１０５に記憶されている各基地局の送信タイミングを参照し、現在受信を行っていない基地局の中で切り替え元基地局より送信タイミングが遅い、すなわち送信時刻が遅い基地局についてＣＰＩＣＨレベルの測定を行う（Ｓ３３）。ステップ３３でＣＰＩＣＨレベルを測定した基地局の中でＣＰＩＣＨレベルが閾値以上の基地局がなければ、切り替え先基地局の候補がないことになるため、切り替えを行わず受信を継続する。ＣＰＩＣＨレベルが閾値以上の基地局があれば（Ｓ３４）、受信対象基地局を切り替え（Ｓ３５）、受信を継続する（Ｓ３６）。  
【００２３】
なお、ステップ３４でＣＰＩＣＨレベルが閾値以上の基地局がない場合、切り替え先基地局の候補がないことになるので、切り替えを行わず受信を継続したが、受信を停止してもよい。また、ステップ３２とステップ３４で用いた閾値は個別に持つことを想定しているが、共通で持ってもよい。設定する値も、移動局と基地局の関係やそれぞれの受信性能等の理由により異なることがあるので異なる設定が可能である。閾値を個別で持った場合についても、それぞれが同じ値で有ってもよいし、異なる値になってもよい。
【００２４】
本発明の実施の形態１のセルサーチ処理装置及びセルサーチ処理方法によれば、受信対象基地局を切り替える際に、切り替え先の基地局は、切り替え元の基地局よりも送信時刻が遅いデータを受信することになる。
【００２５】
図４に本発明の実施の形態１におけるセルサーチ処理装置及びセルサーチ方法の動作を説明するタイミング図を示す。図４は既に説明した図１４と同じく、左から右に時間軸を取り、基地局Ａと基地局Ｂからは同じデータをタイミング差を設けてそれぞれ送信されるデータ内容を示している。図４において、基地局Ｂから送信されるデータは、基地局Ａとタイミング差４０１をつけて送信されている。移動局は、受信対象基地局切り替え前は基地局Ａからのデータを受信している。時刻Ｔ＋４において、受信を行う基地局として基地
局Ｂを選択し、受信対象基地局の切り替えを行い、基地局Ｂからのデータを受信する。なお、図４では受信しているデータを太枠で示し、受信していないデータを細枠で示して区別している。このことにより、基地局を切り替える前は基地局ＡからのＤａｔａ＃０からＤａｔａ＃３を受信し、時刻Ｔ＋４で切り替えた後は基地局ＢからのＤａｔａ＃２以降を受信し、切り替える際にデータの欠落を発生させずにデータを受信する。
【００２６】
本発明の実施の形態１のセルサーチ処理装置及びセルサーチ処理方法によれば、基地局間で同じデータが同期を取らずに送信されるときに選択合成を行う場合、同じデータを送信する時刻が遅い基地局に切り替えることにより、受信対象基地局を切り替える際にデータの欠落を発生させずにデータを受信することができる。
【００２７】
（実施の形態２）
次に本発明の実施の形態２について説明する。本発明の実施の形態２のセルサーチ処理装置及びセルサーチ処理方法は、切り替え先の基地局として、切り替え元基地局よりも遅い時刻で同じデータが送信されているＣＰＩＣＨレベルが閾値以上の基地局の中で、最も早い時刻で同じデータが送信されている基地局を選択する構成にしている。本発明の実施の形態２のセルサーチ処理装置を組み込んだ移動局２００のブロック図は実施の形態１の図１と同一であり、実施の形態２では説明を省略する。
【００２８】
図５に本発明の実施の形態２におけるセルサーチ処理装置及びセルサーチ処理方法の動作を説明するフロー図を示す。図５において、受信対象基地局を切り替える際、まず、セルサーチ処理装置１００のＣＰＩＣＨレベル測定部１０３において、同期用無線チャネルであるＣＰＩＣＨのレベル測定を対象となる現在受信中の基地局に対して行う（Ｓ５１）。測定を行った基地局のＣＰＩＣＨレベルが閾値以上であれば、その基地局のデータ受信を継続するが、ＣＰＩＣＨレベルが閾値以下であれば、切り替え先基地局の探索を行う（Ｓ５２）。送信タイミング記憶部１０５に記憶されている各基地局の送信タイミングを参照し、現在受信を行っていない基地局の中で切り替え元基地局より送信タイミングが遅い、すなわち送信時刻が遅い基地局についてＣＰＩＣＨレベルの測定を行う（Ｓ５３）。ステップ５３でＣＰＩＣＨレベルを測定した基地局の中で閾値以上の基地局がなければ、切り替え先基地局の候補がないため，切り替えを行わず受信を継続する。閾値以上の基地局があれば（Ｓ５４）、閾値以上の基地局の中で送信タイミングが最も早い基地局に受信対象を切り替え（Ｓ５５）、受信を継続する（Ｓ５６）。
【００２９】
なお、ステップ５４でＣＰＩＣＨレベルが閾値以上の基地局がなければ、切り替え先基地局の候補がないため、切り替えを行わず受信を継続したが、受信を停止してもよい。また、ステップ５２とステップ５４で用いた閾値は個別に持つことを想定しているが、共通で持ってもよい。設定する値も、移動局と基地局の関係やそれぞれの受信性能等の理由により異なることがあるので異なる設定が可能である。閾値を個別で持った場合についても、それぞれが同じ値で有ってもよいし、異なる値になってもよい。
【００３０】
本発明の実施の形態２のセルサーチ処理装置及びセルサーチ処理方法によれば、受信対象基地局を切り替える際に、切り替え先の基地局は、切り替え元の基地局よりも遅い時刻で同じデータが送信されている閾値以上の基地局の中で、最も早い時刻で同じデータが送信されている基地局を選択する。よって、本発明の実施の形態２は、上記により、ＣＰＩＣＨレベルが閾値以上で送信時刻が切り替え元基地局よりも遅い切り替え先基地局の候補を、実施の形態１よりもより多く残した状態で基地局の選択をする。
【００３１】
受信対象基地局を切り替えた後に、移動局の移動等により移動局と基地局の関係が変化することで切り替え先の基地局の回線品質が劣化した場合、さらに受信対象基地局を切り替える必要が発生する可能性も有る。よって、さらに切り替えが発生することを考慮する
と次の切り替え先の候補となる基地局をより多く残した状態で基地局の選択をすることは、発呼率、着呼率、通信の維持等のために有効である。
【００３２】
図６に本発明の実施の形態２におけるセルサーチ処理装置及びセルサーチ処理方法の動作を説明するタイミング図を示す。図６は既に説明した図４と同じく、左から右に時間軸を取り、基地局Ａと基地局Ｂと基地局Ｃから同じデータをタイミング差を設けてそれぞれ送信されるデータ内容を示している。図６において、基地局Ｂから送信されるデータは、基地局Ａとタイミング差４０１をつけて送信されており、基地局Ｃから送信されるデータは、基地局Ａとタイミング差４０２をつけて送信されている。移動局は、1回目の受信対象基地局切り替え前は基地局Ａからのデータを受信している。時刻Ｔ＋４において、1回目の受信対象基地局の切り替えを行い、基地局Ａから基地局Ｂへ受信対象基地局を切り替えて、基地局Ｂからのデータの受信を開始する。次に、時刻Ｔ＋８において、２回目の受信対象基地局の切り替えを行い、基地局Ｂから基地局Ｃへ受信対象基地局を切り替えて、基地局Ｃからのデータの受信を開始する。このとき、１回目に基地局を切り替える前は基地局ＡからのＤａｔａ＃０からＤａｔａ＃３を受信し、時刻Ｔ＋４で1回目に基地局を切り替えた後は基地局ＢからのＤａｔａ＃２からＤａｔａ＃５を受信する。その後、さらに回線の状況が変わったこと等によって、時刻Ｔ＋８で２回目に基地局を切り替えた後は基地局ＣからのＤａｔａ＃４以降を受信することができる。
【００３３】
仮に、切り替え先基地局として切り替え元基地局より送信時刻が遅く閾値以上の基地局の中で最も送信時刻が早い基地局を選択しない場合について説明する。時刻Ｔ＋４において、切り替え前の受信対象基地局以外でＣＰＩＣＨレベルが閾値以上である基地局が基地局Ｂと基地局Ｃであったとして、基地局Ａから基地局Ｃに切り替えを行ってしまうと、基地局Ｃより送信時刻が遅い基地局が無いので、それ以降はデータの欠落を発生させずに基地局を切り替えることができないことになる。しかし本発明によれば、切り替え元基地局より送信時刻が遅く閾値以上の基地局の中で送信時刻が最も早い基地局に切り替えることで、データの欠落を発生させずに複数回切り替えることができ、切り替え可能回数を増加させることができる。さらに、切り替え元基地局より送信時刻が遅く閾値以上の基地局の中で送信時刻が最も早い基地局に切り替えることで、次に必要なデータを切り替え先基地局で最も早く受信をすることができる。
【００３４】
本発明の実施の形態２のセルサーチ処理装置及びセルサーチ処理方法によれば、基地局間で同じデータが同期を取らずに送信されるときに選択合成を行う場合、受信対象基地局を切り替える際にデータの欠落を発生させずにデータを受信することができ、さらに、１回目の切り替え以降で回線の状況が変わったことにより回線品質を良好に維持するため等で２回目以降の切り替えが必要になった場合にも、データの欠落を発生させずに基地局を切り替える切り替え可能回数を増加させることができる。さらに、受信対象基地局を切り替える際に、データの欠落を発生させずに必要なデータを最も早く受信することができる。
【００３５】
（実施の形態３）
次に本発明の実施の形態３について説明する。本発明の実施の形態３のセルサーチ処理装置及びセルサーチ処理方法は、ＣＲＣ判定結果をセル選択の要因として使用している。図７に本発明の実施の形態３のセルサーチ処理装置を組み込んだ移動局２１０のブロック図を示す。実施の形態３のセルサーチ処理装置装置を組み込んだ移動局２１０は、既に説明した図１と類似しているが、ＣＲＣ判定処理部１１０において判定した結果をセル選択部２０４で選択の要因として使用できるように構成した点が異なる。この構成により、ＣＰＩＣＨレベル測定部１０３が測定を行うＣＰＩＣＨレベルの測定結果と、送信タイミング記憶部１０５が記憶している送信タイミング差と、ＣＲＣ判定処理部１１０が判定するＣＲＣ判定結果を用いて切り替え先基地局を選択するようにしている。
【００３６】
図８に本発明の実施の形態３のセルサーチ処理装置及びセルサーチ方法の動作を説明するフロー図を示す。図８において、受信対象基地局を切り替える際、まず、セルサーチ処理装置１２０のＣＰＩＣＨレベル測定部１０３において、同期用無線チャネルであるＣＰＩＣＨのレベル測定を対象となる現在受信中の基地局に対して行う（Ｓ８１）。測定を行った基地局のＣＰＩＣＨレベルが閾値以上であれば、その基地局のデータ受信を継続するが、ＣＰＩＣＨレベルが閾値以下であれば、切り替え先基地局の探索を行う（Ｓ８２）。送信タイミング記憶部１０５に記憶されている各基地局の送信タイミングとＣＲＣ判定処理部１１０のＣＲＣ判定結果を参照し、現在受信を行っていない基地局の中で切り替え元基地局より送信タイミングが遅く、すなわち送信時刻が遅く、切り替え元基地局においてＣＲＣ判定結果がＮＧとなったデータを未送信である基地局についてＣＰＩＣＨレベルの測定を行う（Ｓ８３）。ステップ８３でＣＰＩＣＨレベルを測定した基地局の中で閾値以上の基地局がなければ，切り替え先基地局の候補がないため、切り替えを行わず受信を継続する。閾値以上の基地局があれば（Ｓ８４）、切り替え先基地局にて切り替え後受信するデータが、切り替え元基地局においてＣＲＣ判定結果がＮＧとなったデータかどうかを判定する（Ｓ８５）。ＣＲＣ判定結果がＯＫであるデータであれば、切り替え先基地局にて再度受信する必要がないため、切り替え元基地局からの受信を継続する（Ｓ８６）。ＣＲＣ判定結果がＮＧであるデータであれば、受信対象基地局の切り替えを行い（Ｓ８７）、切り替え先基地局からの受信を開始する（Ｓ８８）。なお、ステップ８４でＣＰＩＣＨレベルが閾値以上の基地局がなければ、切り替え先基地局の候補がないため、切り替えを行わず受信を継続したが、受信を停止してもよい。また、ステップ８２とステップ８４で用いた閾値は個別に持つことを想定しているが、共通で持ってもよい。設定する値も、移動局と基地局の関係やそれぞれの受信性能等の理由により異なることがあるので異なる設定が可能である。閾値を個別で持った場合についても、それぞれが同じ値で有ってもよいし、異なる値になってもよい。
【００３７】
本発明の実施の形態３のセルサーチ処理装置及びセルサーチ処理方法によれば、受信対象基地局を切り替える際に、切り替え先基地局は、切り替え元基地局よりも送信時刻が遅いデータを受信することになる。
【００３８】
また上記によれば、基地局間で同じデータが同期を取らずに送信されるときに選択合成を行う場合、切り替え先で送信されるデータが、切り替え元基地局においてＣＲＣ判定結果がＯＫとなったデータの場合は切り替えを行わず受信を継続し、ＣＲＣ判定結果がＮＧとなったデータの場合は切り替えを行い、切り替え先基地局で受信を行う。すなわち、この基地局切り替えを、切り替えが可能と判定した直後に行うのではなく、受信が必要なデータである切り替え元でＣＲＣ判定結果がＮＧであったデータを切り替え先で受信できるタイミングまで待って行うことにより、受信対象基地局の切り替えの際に、データの欠落をせずに切り替え元基地局のデータを受信する時間を長く取ることができる。
【００３９】
図９に本発明の実施の形態３におけるセルサーチ処理装置及びセルサーチ処理方法の動作を説明するタイミング図を示す。図９は既に説明した図４と同じく、左から右に時間軸を取り、基地局Ａと基地局Ｂから同じデータをタイミング差を設けてそれぞれ送信されるデータ内容を示している。図９において、基地局Ｂから送信されるデータは、基地局Ａとタイミング差４０３をつけて送信されており、移動局は、受信対象基地局切り替え前は基地局Ａからのデータを受信している。時刻Ｔ＋４において、基地局Ａから基地局Ｂへ受信対象基地局の切り替えを行おうとした場合、基地局ＢのＤａｔａ＃１は基地局Ａから既に受信を行い、ＣＲＣ判定結果がＯＫとなっているため受信する必要がない。そのため時刻Ｔ＋４においては、基地局切り替えを行わず基地局Ａからの受信を継続し、基地局ＡからのＤａｔａ＃４を受信する。基地局ＢからのＤａｔａ＃２は基地局Ａからの受信データにてＣＲＣ判定結果がＮＧとなっているので受信する必要があるため、時刻Ｔ＋５において
基地局の切り替えを行い、基地局Ｂからのデータを受信を開始する。このとき、基地局を切り替える前は基地局ＡからのＤａｔａ＃０とＤａｔａ＃１を受信し、ＣＲＣ判定結果がＯＫとなったことを確認し、時刻Ｔ＋５で切り替えた後は基地局ＡでＣＲＣ判定結果がＮＧとなったＤａｔａ＃２以降を基地局Ｂから受信することで、切り替える際にデータの欠落を発生させずにデータを受信することができる。
【００４０】
また、切り替えタイミングを時刻Ｔ＋４から時刻Ｔ＋５に変えたことにより、Ｄａｔａ＃４は基地局Ａと基地局Ｂの２回の受信ができる。元々、基地局ＡはＣＰＩＣＨレベルが閾値以下であるため基地局Ｂへの切り替えを行うのであるが、基地局ＡからのＤａｔａ＃４の受信データは必ずＣＲＣ判定結果がＮＧになるわけではない。同様に、基地局ＢはＣＰＩＣＨレベルが閾値以上であるが無線通信であるので、基地局ＢからのＤａｔａ＃４の受信データは必ずＣＲＣ判定結果がＯＫとなるわけではなく０ではない誤り率を含んでいる。よって、同じＤａｔａ＃４の受信は、切り替えの際にデータの欠落が発生しなければ、基地局Ａと基地局Ｂの両方から受信して両方の受信データの中でＣＲＣ判定結果がＯＫであるどちらかのデータを最終的な復号データとすることで、基地局Ｂからだけ受信をした場合よりも誤り率を向上させることになる。図９の場合は基地局ＡでＤａｔａ＃４はＣＲＣ判定結果がＯＫであるので、基地局Ｂからの受信データはＣＲＣ判定結果がＯＫでもＮＧでもよいことになり、基地局Ｂからの受信データだけを使用する場合よりも、誤り率は向上したことになる。また、基地局ＡからのＤａｔａ＃４はＣＲＣ判定結果がＮＧの場合もありうるが、時刻Ｔ＋４で基地局を切り替え、Ｄａｔａ＃４は基地局Ｂからの受信データだけを使用する場合と比較して誤り率が悪くなることはない。
【００４１】
本発明の実施の形態３のセルサーチ処理装置及びセルサーチ処理方法によれば、基地局間で同じデータが同期を取らずに送信されるときに選択合成を行う場合、受信対象基地局を切り替える際にデータの欠落を発生させずにデータを受信することができ、また、切り替えタイミングを遅らせることで、切り替え元基地局の受信を継続し、誤り率を向上させることができる。
【００４２】
（実施の形態４）
次に本発明の実施の形態４について説明する。本発明の実施の形態４のセルサーチ処理装置及びセルサーチ処理方法は、基地局の切り替え後、切り替え先基地局から受信するデータが、切り替え元基地局においてＣＲＣ判定結果がＯＫとなったデータかどうかを判定して、判定結果に基づいて切り替え先基地局の受信を一時停止する構成にしている。本発明の実施の形態４のセルサーチ処理装置を組み込んだ移動局２１０のブロック図は実施の形態３の図７と同一であり、実施の形態４では説明を省略する。
【００４３】
図１０に本発明の実施の形態４におけるセルサーチ処理装置及びセルサーチ処理方法の動作を説明するフロー図を示す。図１０において、受信対象基地局を切り替える際、まず、セルサーチ処理装置１２０のＣＰＩＣＨレベル測定部１０３において、同期用無線チャネルであるＣＰＩＣＨのレベル測定を対象となる現在受信中の基地局に対して行う（Ｓ１０１）。測定を行った基地局のＣＰＩＣＨレベルが閾値以上であれば、その基地局のデータ受信を継続する。ＣＰＩＣＨレベルが閾値以下であれば、切り替え先基地局の探索を行う（Ｓ１０２）。送信タイミング記憶部１０５に記憶されている各基地局の送信タイミングとＣＲＣ判定処理部１１０のＣＲＣ判定結果を参照し、現在受信を行っていない基地局の中で切り替え元基地局より送信タイミングが遅く、すなわち送信時刻が遅く、切り替え元基地局においてＣＲＣ判定結果がＮＧとなったデータを未送信である基地局についてＣＰＩＣＨレベルの測定を行う（Ｓ１０３）。ステップ１０３でＣＰＩＣＨレベルを測定した基地局の中で閾値以上の基地局がなければ、切り替え先基地局の候補がないため、切り替えを行わず受信を継続する。閾値以上の基地局があれば（Ｓ１０４）、受信対象基地局の切り替えを行う（Ｓ１０５）。切り替え後、切り替え先基地局から受信するデータが、
切り替え元基地局においてＣＲＣ判定結果がＯＫとなったデータかどうかを判定する（Ｓ１０６）。切り替え元基地局においてＣＲＣ判定結果がＯＫであったデータであれば、受信する必要がないため、切り替え先基地局からの受信を一時停止する（Ｓ１０７）。切り替え元基地局においてＣＲＣ判定結果がＮＧであったデータであれば、切り替え先基地局からの受信を継続する（Ｓ１０８）。なお、ステップ１０４でＣＰＩＣＨレベルが閾値以上の基地局がなければ、切り替え先基地局の候補がないため、切り替えを行わず受信を継続したが、受信を停止してもよい。また、ステップ１０２とステップ１０４で用いた閾値は個別に持つことを想定しているが、共通で持ってもよい。設定する値も、移動局と基地局の関係やそれぞれの受信性能等の理由により異なることがあるので異なる設定が可能である。閾値を個別で持った場合についても、それぞれが同じ値で有ってもよいし、異なる値になってもよい。
【００４４】
本発明の実施の形態４のセルサーチ処理装置及びセルサーチ処理方法によれば、受信対象基地局を切り替える際に、切り替え先の基地局は、切り替え元の基地局よりも送信時刻が遅いデータを受信することになる。
【００４５】
また、上記によれば、基地局間で同じデータが同期を取らずに送信されるときに選択合成を行う場合、切り替え先で受信するデータが切り替え元基地局においてＣＲＣ判定結果がＯＫとなったデータの場合は受信を一時停止して、ＣＲＣ判定結果がＮＧとなったデータが受信できるタイミングにて受信を継続することで、受信を行う時間を削減することができる。
【００４６】
図１１に本発明の実施の形態４におけるセルサーチ処理装置及びセルサーチ処理方法の動作を説明するタイミング図を示す。図１１は既に説明した図４と同じく、左から右に時間軸を取り、基地局Ａと基地局Ｂから同じデータをタイミング差を設けてそれぞれ送信されるデータ内容を示している。図１１において、基地局Ｂから送信されるデータは、基地局Ａとタイミング差４０３をつけて送信されており、移動局は、受信対象基地局切り替え前は基地局Ａからのデータを受信している。時刻Ｔ＋４において、受信対象基地局の切り替えを行うが、時刻Ｔ＋４において基地局Ｂから送信されるＤａｔａ＃１は基地局Ａから既に受信しＣＲＣ 判定結果がＯＫとなっているデータであるため、受信する必要がなく、受信を一時停止する。時刻Ｔ＋５において基地局Ｂから送信されるＤａｔａ＃２は、基地局Ａから既に受信しているが、ＣＲＣ判定結果がＮＧとなっているため、時刻Ｔ＋５から基地局Ｂからのデータ受信を開始する。このように、基地局を切り替える前は基地局ＡからのＤａｔａ＃０とＤａｔａ＃１を受信し、ＣＲＣ判定結果がＯＫとなったことを確認し、時刻Ｔ＋４において切り替えた後は基地局ＡでＣＲＣ判定結果がＮＧとなったＤａｔａ＃２以降を基地局Ｂから受信することができ、基地局を切り替える際にデータの欠落が発生させずにデータを受信することができる。
【００４７】
本発明の実施の形態４のセルサーチ処理装置及びセルサーチ処理方法によれば、基地局間で同じデータが同期を取らずに送信されるときに選択合成を行う場合、受信対象基地局を切り替える際にデータの欠落を発生させずにデータを受信することができ、また、切り替え先基地局のデータ受信を一時停止することで、消費電力を低減することができる。
【００４８】
（実施の形態５）
次に本発明の実施の形態５について説明する。本発明の実施の形態５のセルサーチ処理装置及びセルサーチ処理方法において、切り替え先の基地局の選択は、現在受信中の切り替え元の基地局または受信を継続する基地局よりも送信時刻が遅く、現在受信中の基地局においてＣＲＣ判定結果がＮＧとなったデータを未送信である基地局のデータを受信するものである。本発明の実施の形態５のセルサーチ処理装置を組み込んだ移動局２１０のブロック図は実施の形態３の図７と同一であり、実施の形態５では説明を省略する。
【００４９】
図１２に本発明の実施の形態５におけるセルサーチ処理装置及びセルサーチ処理方法の動作を説明するフロー図を示す。図１２において、受信対象基地局を切り替える際，まず、セルサーチ処理装置１２０のＣＰＩＣＨレベル測定部１０３において、同期用無線チャネルであるＣＰＩＣＨのレベル測定を対象となる現在受信中の基地局に対して行う（Ｓ１２１）。測定を行った基地局のＣＰＩＣＨレベルが閾値以上であれば、その基地局のデータ受信を継続する。ＣＰＩＣＨレベルが閾値以下であれば、切り替え先基地局の探索を行う（Ｓ１２２）。なお、移動局が受信中の基地局は複数局あり、受信対象基地局の切り替えは行うが、全ての受信中の基地局を切り替えるのではなく、切り替えを行わず受信を継続する基地局も存在する。送信タイミング記憶部１０５に記憶されている各基地局の送信タイミングとＣＲＣ判定処理部１１０のＣＲＣ判定結果を参照し、現在受信を行っていない基地局の中で、切り替え元基地局または現在受信中の受信を継続する基地局よりも送信タイミングが遅く、すなわち送信時刻が遅く、現在受信中の基地局においてＣＲＣ判定結果がＮＧとなったデータを未送信である基地局についてＣＰＩＣＨレベルの測定を行う（Ｓ１２３）。ＣＰＩＣＨレベルを測定した基地局の中で閾値以上の基地局がなければ、切り替え先基地局の候補がないため、切り替えを行わず受信を継続する。閾値以上の基地局があれば（Ｓ１２４）、受信対象基地局の切り替えを行い（Ｓ１２５）、受信を継続する（Ｓ１２６）。なお、ステップ１２４でＣＰＩＣＨレベルが閾値以上の基地局がなければ、切り替え先基地局の候補がないため、切り替えを行わず受信を継続したが、受信を停止してもよい。また、ステップ１２２とステップ１２４で用いた閾値は個別に持つことを想定しているが、共通で持ってもよい。設定する値も、移動局と基地局の関係やそれぞれの受信性能等の理由により異なることがあるので異なる設定が可能である。閾値を個別で持った場合についても、それぞれが同じ値で有ってもよいし、異なる値になってもよい。
【００５０】
本発明の実施の形態５のセルサーチ処理装置及びセルサーチ処理方法によれば、受信対象基地局を切り替える際に、切り替え先の基地局は、切り替え元の基地局だけを基準に探すのではなく、現在受信中の基地局においてＣＲＣ判定結果がＮＧとなったデータを未送信である基地局であり、且つ、移動局が受信中の切り替え元基地局または引き続き受信を継続する基地局を基準にして送信時刻が遅い基地局を探すようにしている。すなわち、本発明の第５の実施の形態では、切り替え先候補としての基地局の同じデータを送信する時刻の条件は、切り替え元基地局の送信時刻よりも遅いという条件に限るのでなく、複数の受信している全ての基地局、つまり、切り替え元基地局または受信を継続する基地局の中でいずれか一つの基地局よりも遅いという条件にしたことにより、切り替え先基地局の選択の幅が広くなる。結果として切り替え先基地局の候補の数が増えることになる。
【００５１】
図１３に本発明の実施の形態５におけるセルサーチ処理装置及びセルサーチ処理方法の動作を説明するタイミング図を示す。図１３は既に説明した図４と同じく、左から右に時間軸を取り、基地局Ａと基地局Ｂと基地局Ｃから同じデータをタイミング差を設けてそれぞれ送信するデータ内容を示している。図１３において、基地局Ｂから送信されるデータは、基地局Ａとタイミング差４０２をつけて送信されており、基地局Ｃから送信されるデータは、基地局Ａとタイミング差４０１をつけて送信されている。なお、基地局Ｃは基地局Ｂよりもタイミング差４０１だけ早くデータを送信している。移動局は、受信対象基地局切り替え前は基地局Ａからのデータと基地局Ｂからのデータを受信している。
【００５２】
時刻Ｔ＋４において、基地局Ａからのデータ受信は継続するが、基地局Ｂを切り替える場合を説明する。本発明の実施の形態５では、切り替え先基地局は、切り替え元基地局Ｂより送信時刻が遅い基地局という条件に限るのでなく、切り替え元基地局Ｂまたは受信を継続する基地局Ａよりも送信時刻が遅い基地局、且つ、基地局ＡでＣＲＣ判定結果がＮＧとなっているデータが未送信である基地局を受信対象基地局として選択するという条件にしている。ここで、送信時刻の関係について説明する。切り替え先候補である基地局Ｃを
含めると、送信時刻は早い順に基地局Ａ、基地局Ｃ、基地局Ｂとなる。切り替え先基地局の時刻の選択条件である基地局Ｂまたは基地局Ａのどちらかよりも遅い基地局に当てはめた場合、基地局Ａよりも送信時刻が遅い基地局Ｃを選択することができる。そのため、図１３に示したように基地局Ｂから基地局Ｃへ受信対象基地局の切り替えが行われる。すなわち、基地局を切り替える前は基地局ＡからのＤａｔａ＃０からＤａｔａ＃３を受信し、時刻Ｔ＋４において切り替えた後は基地局ＡでＣＲＣ判定結果がＮＧとなったＤａｔａ＃４、Ｄａｔａ＃５を基地局Ｃから受信し、Ｄａｔａ＃６以降は基地局Ａまたは基地局Ｃから受信することができ、切り替える際にデータの欠落を発生させずにデータを受信することができる。
【００５３】
仮に、切り替え先の基地局は切り替え元基地局より送信時刻が遅いことを条件とした場合を説明する。時刻Ｔ＋４において、基地局Ｂから他の受信対象基地局への切り替えを行うとする。基地局ＡでＣＲＣ判定結果がＮＧとなっているデータを未送信である基地局Ｃを受信対象基地局として選択しようとしても、基地局Ｃは切り替え元基地局Ｂより送信時刻が早い基地局であり、切り替え先基地局とはならず、図１３の場合においては切り替え基地局は無くなる。しかし本発明によれば、受信対象基地局を切り替える際に、切り替え先の基地局を、切り替え元基地局Ｂまたは受信を継続する基地局Ａよりも送信時刻が遅い基地局、つまり受信を継続する基地局Ａよりも送信時刻が遅く基地局ＡでＣＲＣ判定結果がＮＧとなっているデータが未送信である基地局Ｃを選択するという条件にすることにより、切り替え元基地局Ｂより送信時刻が遅い基地局という条件の場合と比較して、切り替え先対象となる基地局数が増加する。
【００５４】
本発明の実施の形態５のセルサーチ処理装置及びセルサーチ処理方法によれば、基地局間で同じデータが同期を取らずに送信されるときに選択合成を行う場合、受信対象基地局を切り替える際にデータの欠落を発生させずにデータを受信することができ、切り替え先対象の候補となる基地局数を増加させることができる。
【００５５】
なお、以上の説明では、復号判定結果はＣＲＣ判定結果を用いる例について説明したが、そのほかの復号判定結果を用いる方法についても同様に実施可能である。
【００５６】
また、以上の説明では、送信タイミング情報は、あらかじめ基地局から送信されており、移動局で受信、データ復調を行う例について説明したが、各基地局からの送信データを移動局で受信し、受信したデータから送信タイミング情報を算出する方法についても同様に実施可能である。
【産業上の利用可能性】
【００５７】
本発明のセルサーチ処理装置、セルサーチ処理装置を搭載した移動局及びセルサーチ処理方法は、複数の基地局から同じデータが同期を取らずに送信されるときに選択合成を行う場合の受信対象となる基地局を切り替える際に、各基地局のデータの送信タイミング差に基づいて受信対象基地局を選択することにより、受信対象基地局を切り替える際にデータの欠落を発生させずにデータを受信することができるので、移動通信システム、特にＣＤＭＡ通信等における移動局等として有用である。
【図面の簡単な説明】
【００５８】
【図１】本発明の実施の形態１におけるセルサーチ処理装置を搭載した移動局のブロック図
【図２】本発明の実施の形態１におけるセルサーチ処理装置及びセルサーチ処理方法の動作を説明するシステム図
【図３】本発明の実施の形態１におけるセルサーチ処理装置及びセルサーチ処理方法の動作を説明するフロー図
【図４】本発明の実施の形態１におけるセルサーチ処理装置及びセルサーチ処理方法の動作を説明するタイミング図
【図５】本発明の実施の形態２におけるセルサーチ処理装置及びセルサーチ処理方法の動作を説明するフロー図
【図６】本発明の実施の形態２におけるセルサーチ処理装置及びセルサーチ処理方法の動作を説明するタイミング図
【図７】本発明の実施の形態３におけるセルサーチ処理装置を搭載した移動局のブロック図
【図８】本発明の実施の形態３におけるセルサーチ処理装置及びセルサーチ処理方法の動作を説明するフロー図
【図９】本発明の実施の形態３におけるセルサーチ処理装置及びセルサーチ処理方法の動作を説明するタイミング図
【図１０】本発明の実施の形態４におけるセルサーチ処理装置及びセルサーチ処理方法の動作を説明するフロー図
【図１１】本発明の実施の形態４におけるセルサーチ処理装置及びセルサーチ処理方法の動作を説明するタイミング図
【図１２】本発明の実施の形態５におけるセルサーチ処理装置及びセルサーチ処理方法の動作を説明するフロー図
【図１３】本発明の実施の形態５におけるセルサーチ処理装置及びセルサーチ処理方法の動作を説明するタイミング図
【図１４】従来のセルサーチ処理装置及びセルサーチ処理方法の動作を説明するタイミング図
【符号の説明】
【００５９】
１００  セルサーチ処理装置
１０３  ＣＰＩＣＨレベル測定部
１０４  セル選択部
１０５  送信タイミング記憶部
１１０  ＣＲＣ判定処理部
１１１  選択合成処理部
２００  移動局
【図１】
2006173701.tif 000003
【図２】
2006173701.tif 000004
【図３】
2006173701.tif 000005
【図４】
2006173701.tif 000006
【図５】
2006173701.tif 000007
【図６】
2006173701.tif 000008
【図７】
2006173701.tif 000009
【図８】
2006173701.tif 000010
【図９】
2006173701.tif 000011
【図１０】
2006173701.tif 000012
【図１１】
2006173701.tif 000013
【図１２】
2006173701.tif 000014
【図１３】
2006173701.tif 000015
【図１４】
2006173701.tif 000016